(57)【要約】【課題】フライアッシュ中の微粉の飛散を抑制しつつ未燃カーボンを効率よく燃焼させる燃焼炉を提供できる。【解決手段】水平又は略水平の仮想回転軸にて回転される炉体２６と、前記炉体２６を回転させる炉体支持部２７と、前記炉体２６内に酸素を供給する吹き込みノズル３４と、前記炉体２６内を加熱する助燃バーナー３３と、前記炉体２６の一端側に設けられてフライアッシュと未燃カーボンを含む原粉が前記炉体２６内に供給される投入口３０ａと、前記炉体２６の他端側に設けられて加熱済みの処理粉を排出する排出口３５、を備えた焼成装置９について、前記炉体２６を、断面が多角形若しくは略多角形状であり前記一端から前記他端へ向かって全体がねじれているねじれ多角筒状若しくはねじれ多角推台筒状に形成した。【選択図】図２
2018204893.tif 000002
【特許請求の範囲】
【請求項１】
水平又は略水平の仮想回転軸にて回転される炉と、前記炉を回転させる回転駆動部と、前記炉内に酸素を供給する酸素供給部と、前記炉内を加熱する加熱部と、前記炉の一端側に設けられてフライアッシュと未燃カーボンを含む原粉が前記炉内に供給される原粉供給部と、前記炉の他端側に設けられて加熱済みの処理粉を排出する処理粉排出部と、を備えた焼成装置であって、
前記炉は、断面が多角形若しくは略多角形状であり前記一端から前記他端へ向かって全体がねじれているねじれ多角筒状若しくはねじれ多角推台筒状に形成されている
焼成装置。
【請求項２】
前記炉は、前記断面における各辺が直線状であり、前記中心軸の一端から他端へ向かって全体がねじれていることによってこの直線状部分がねじれ平面を形成する
請求項１記載の焼成装置。
【請求項３】
前記炉は、一端側に前記原粉を供給する原粉供給部が設けられ、他端側に燃焼後のフライアッシュを排出する排出部が設けられ、
前記回転駆動部は、前記炉を、前記ねじれ平面における最下部となっている位置が前記一端側から徐々に他端側へ向かって移動する方向に回転させる
請求項２記載の焼成装置。
【請求項４】
前記炉は、前記各辺の長さが共通である正多角形に断面形状が形成された請求項１から３の何れかに記載の焼成装置。
【請求項５】
原粉を加熱する焼成装置に用いられる炉であって、
断面が多角形若しくは略多角形状であり前記一端から前記他端へ向かって全体がねじれているねじれ多角筒状若しくはねじれ多角推台筒状に形成されている
炉。
【発明の詳細な説明】
【技術分野】
【０００１】
この発明は、例えばフライアッシュ等の原粉を燃焼する焼成装置および炉に関する。
【背景技術】
【０００２】
従来から、石炭火力発電所から排出されるフライアッシュは、セメント用混合材や、コンクリート用混和材として利用されている。しかしながら、セメント用混合材や、コンクリート用混和材としてフライアッシュを使用するためには、フライアッシュに含まれる未燃カーボンを除去する必要があった。
【０００３】
未燃カーボンを除去する技術としては、ロータリーキルンを用いたフライアッシュの処理装置や焼成装置がある。特許文献１に記載されたフライアッシュの処理装置は、攪拌板と塊状媒体とを内蔵した外熱式ロータリーキルンに、未燃カーボンを含むフライアッシュを供給し、フライアッシュと塊状媒体とを混合するとともに、かき上げながら、未燃カーボンを燃焼せしめるものである。
【０００４】
また、特許文献２に記載された焼成装置は、ロータリーキルンの加熱領域及び沈静化領域の内周面に、螺旋状の搬送部材及び衝立状の撹拌部材が設けられ、自燃領域の内周面に、棚状のリフター部材及び搬送リフター部材が設けられている。
【０００５】
しかしながら、上述のフライアッシュの処理装置や焼成装置に設けられた攪拌板や撹拌部材等は、ロータリーキルンと共に回転してフライアッシュを撹拌し、未燃カーボンを効率よく燃焼させるのに有効であったが、その一方で、フライアッシュ中の微粉を飛散させてしまうという問題点があった。
【先行技術文献】
【特許文献】
【０００６】
【特許文献１】特開平７−１９４４０号公報
【特許文献２】特開２０１４−４４０２６号公報
【発明の概要】
【発明が解決しようとする課題】
【０００７】
この発明は、上述の問題点に鑑みて、フライアッシュ中の微粉の飛散を抑制しつつ未燃カーボンを効率よく燃焼させる焼成装置および炉を提供することを目的とする。
【課題を解決するための手段】
【０００８】
この発明は、水平又は略水平の仮想回転軸にて回転される炉と、前記炉を回転させる回転駆動部と、前記炉内に酸素を供給する酸素供給部と、前記炉内を加熱する加熱部と、前記炉の一端側に設けられてフライアッシュと未燃カーボンを含む原粉が前記炉内に供給される原粉供給部と、前記炉の他端側に設けられて加熱済みの処理粉を排出する処理粉排出部と、を備えた焼成装置であって、
前記炉は、断面が多角形若しくは略多角形状であり前記一端から前記他端へ向かって全体がねじれているねじれ多角筒状若しくはねじれ多角推台筒状に形成されている焼成装置であることを特徴とする。
【発明の効果】
【０００９】
この発明により、フライアッシュ中の微粉の飛散を抑制しつつ未燃カーボンを効率よく燃焼させる焼成装置を提供できる。
【図面の簡単な説明】
【００１０】
【図１】フライアッシュの加熱改質システムの構成を示す構成図。
【図２】焼成装置の構成を示す構成図。
【図３】焼成装置の炉体を説明する説明図。
【発明を実施するための形態】
【００１１】
以下、本願発明の一実施形態を図面と共に説明する。
【実施例】
【００１２】
＜フライアッシュの加熱改質システム＞
図１は、未燃カーボンを燃焼させる焼成装置９（炭素高温酸化炉）を備えたフライアッシュの加熱改質システム１の構成を示すブロック図である。
【００１３】
フライアッシュの加熱改質システム１は、投入されたフライアッシュ原粉を貯留するフライアッシュ貯留設備３と、貯留されているフライアッシュ原粉を加熱装置２に定量的に供給する定量供給装置４と、フライアッシュ原粉が含有する未燃カーボンを誘導加熱により加熱する電力加熱装置８と未燃カーボンを燃焼させる焼成装置９とを有し、フライアッシュの改質を行う加熱装置２と、加熱装置２で改質された高温のフライアッシュを冷却する冷却設備５と、加熱、燃焼処理時に加熱装置２が排出する排気ガスに含まれる塵等を除去する除塵装置６と、除塵装置６で塵等が除去された排気ガスを加熱改質システム１外に排出する排気装置７と、を備えている。
【００１４】
＜フライアッシュ貯留設備＞
フライアッシュ貯留設備３は、予熱装置１０が設けられた原料ホッパー３ｃを備えている。
【００１５】
原料ホッパー３ｃは、投入されたフライアッシュ原粉を一時貯留する。  
予熱装置１０は、フライアッシュ貯留設備３に設けられた余熱循環パイプ１１と、余熱循環パイプ１１内に排気ガスを循環させる余熱循環ファン１２を備えている。余熱循環パイプ１１には、余熱循環パイプ１１内に２００℃以上の高温の排気ガスを供給するための余熱供給パイプ１３と、排気ガスを除塵装置６へ排出するための排出パイプ１４が連結されている。さらに、余熱供給パイプ１３は、加熱装置２を構成する焼成装置９の排気ガス口９ａに連結されている。
これにより、焼成装置９が排出する２００℃以上の高温の排気ガスの一部が、余熱供給パイプ１３を介して、余熱循環パイプ１１内に供給されるようになっている。余熱循環ファン１２は、余熱循環パイプ１１内に供給された高温の排気ガスを、余熱循環パイプ１１内に循環させる。これにより、原料ホッパー３ｃ内に貯留されているフライアッシュ原粉は、余熱循環パイプ１１内を循環する高温の排気ガスからの熱伝導により予熱される。
排出パイプ１４には、排気ガスの排気の実行／停止を切り替えるコントロール弁１６が設けられている。コントロール弁１６による排気の実行／停止の切り替え信号とする温度センサ１５は、余熱循環パイプ１１に設けられている。
【００１６】
原料ホッパー３ｃは、予熱されたフライアッシュ原粉を、重力落下により、下部の連結管３ｂの下端にある連結口３ａを介して定量供給装置４に搬出する。
【００１７】
＜定量供給装置＞
定量供給装置４は、円筒状で、軸心が略水平方向を向いている供給管１７と、供給管１７の軸心上に配置され軸回りに回転可能なシャフト１８と、シャフト１８に周設されシャフト１８と共に回転することにより供給管１７内部において予熱されたフライアッシュ原粉を搬送するスクリュー１９と、シャフト１８を軸回りに回転駆動させる駆動装置２０とを備えている。駆動装置２０は、電動モータ２０ｇを備えており、電動モータ２０ｇのスプロケットとシャフト１８のスプロケットに張架されたリング状のチェーン２０ｅを介してシャフト１８に回転力を伝達する。
【００１８】
定量供給装置４は、原料ホッパー３ｃから排出された予熱されたフライアッシュ原粉を、流入口１７ｂを介して供給管１７の前段に供給する。供給管１７の前段に供給された予熱されたフライアッシュ原粉は、供給管１７内部においてシャフト１８の軸回りに回転するスクリュー１９により、供給管１７の後方側に徐々に送り出される。そして、供給管１７の後端にまで送り出された予熱されたフライアッシュ原粉は、流出口１７ａを介して、電力加熱装置８に供給される。
【００１９】
＜電力加熱装置＞
電力加熱装置８は、軸心が略水平方向を向いた内部が中空の円筒状の加熱処理管２１と、加熱処理管２１の外周に巻き付けるように設けられ、加熱処理管２１の前段から後段に向かって複数段設けられている誘導コイル２２と、誘導コイル２２に高周波の交流電流を出力する高周波誘導加熱電源（高周波インバータ）（図示せず）を備えている。
【００２０】
電力加熱装置８に供給された予熱されたフライアッシュ原粉は、定量供給装置４から加熱処理管２１に供給される後続の予熱されたフライアッシュ原粉に押され、加熱処理管２１内を移動する。予熱されたフライアッシュ原粉に含まれる未燃カーボンは、予熱されたフライアッシュ原粉が加熱処理管２１内を移動する間に、誘導コイル２２に誘起される交番磁界による誘導加熱により段階的に加熱される。すなわち、磁界に誘導されて磁性体金属である加熱処理管２１に渦電流が流れ、これによって加熱処理管２１の抵抗により熱を発生して誘導加熱が実現する。また、導電性を有する未燃カーボン自身も誘導加熱により加熱される。この段階的な加熱は、最終段階での加熱が発火温度（自燃温度）である６００℃であればよく、例えば前段から順に２００℃、４００℃、及び６００℃といった三段階とするなど、適宜の段階に設定されている。これにより、途中で発火（自燃）が始まり暴走することを防止している。含有する未燃カーボンが加熱されたフライアッシュ原粉は、加熱処理管２１の後段部まで移動した後、投入部３０（原粉供給部）から焼成装置９内に投入される。
【００２１】
＜焼成装置＞
焼成装置９は、フライアッシュ原粉に含まれる加熱された未燃カーボンを燃焼させる。詳細は後述する。
【００２２】
＜除塵装置＞
除塵装置６は、前段のサイクロン６ａと後段のバグフィルター６ｂとを備えている。前段のサイクロン６ａには、焼成装置９の排気ガス口９ａから排出される高温の排気ガスを、予熱装置１０で利用した後に排出する排出パイプ１４と、熱交換器３２で冷却した後に排出する排気ガス管３１とが、連結されている。
【００２３】
除塵装置６は、排出パイプ１４及び排気ガス管３１を介して流入した焼成装置９からの排気ガスに含まれ粉塵等を、サイクロン６ａとバグフィルター６ｂを用いて除去した後、粉塵等が除去された排気ガスを排気装置７に排出する。
【００２４】
＜排気装置＞
排気装置７は、除塵装置６で粉塵等が除去された排気ガスを誘引ファン７ａで誘引した後、排気塔７ｂを介して加熱改質システム１外に排出する。
【００２５】
＜冷却設備＞
冷却設備５は、焼成装置９の排出口３５（処理粉排出部）から排出された、含有する未燃カーボンが燃焼により減少したフライアッシュ原粉を受け入れ、冷却処理する。
【００２６】
＜焼成装置の詳細＞
図２は、焼成装置９の構成の詳細を示す説明図である。  
図３（Ａ）は、焼成装置９の炉体２６（炉）の周壁内ライニング２６ａ及び投入側フード内ライニング２６ｂの形状を示す説明図である。
【００２７】
焼成装置９は、軸心方向が略水平方向を向いた内部が中空で外周壁２６ｄが円筒状の窯である炉体２６と、炉体２６を軸心の回りに回転可能に支持する炉体支持部２７と、炉体２６の一端部を覆う投入側フード２８と、炉体２６の他端部を覆う排出側フード２９とを備えた回転式の炉である。
【００２８】
炉体２６は、外周壁２６ｄと、外周壁２６ｄを内側から覆う周壁内ライニング２６ａと、投入側フード２８を内側から覆う投入側フード内ライニング２６ｂとを備えている。
【００２９】
外周壁２６ｄは、耐熱性及び耐食性の合金で形成されている。  
周壁内ライニング２６ａと投入側フード内ライニング２６ｂとは、酸化アルミ系の耐火材で形成され、耐火材の外方側は冷却されている。このため、炉体２６は、フライアッシュ原粉が含有する酸化バナジュームに起因する高温下での金属腐食を回避することができ、これにより、１０００℃程度（すなわち未燃カーボンを発火させて加熱改質処理を実施することに耐える十分な温度）の耐火性を有することができる。
【００３０】
炉体２６は、横に寝かせた両端が正八角形の略筒状体（ねじれ多角筒状）を水平な中心線（図３（Ｃ）の仮想回転軸３９）を回転軸としてねじって形成された形状となっており（図３（Ａ）参照）、筒半径方向の幅よりも筒軸心方向の長さの方が長く形成されている。炉体２６の内面には、周壁内ライニング２６ａが設けられている。
【００３１】
周壁内ライニング２６ａは、ねじれた四角形の形状である各周壁内ライニング側壁２６ｅ（ねじれ平面）が複数個（この実施例では８個）合わさった形状となっている。そして、炉体２６の内部空間は、供給されるフライアッシュ原粉が半部以下の一部を占め、残りを供給された空気が占めて、空気中の酸素を取り込み燃焼（発火）するのに十分な広い空間に形成されている。
【００３２】
尚、上述の略筒状体は、略円錐台筒状体（ねじれ多角推台筒状）でもよく、また、断面の形状は正八角形に限るものではなく、正方形、正六角形、正１０角形、正１２角形、正２０角形等であってもよく、また、正多角形ではない多角形であってもよい。また、ここでは、投入側端に対して排出側端を反時計回りにねじって形成しているが、ねじる方向は、逆方向の時計回りであってもよい。この場合は回転方向を逆にすると良い。ねじる角度は、ここでは４５度になっている。そして、ねじる前に投入側端の各辺に対向していた排出側端の各辺は、ねじったことにより、ねじる前の投入側端の当該各辺の反時計回りの一つ隣の各辺に対向するようになっている。尚、ねじる角度は、０度より大きく３０度以下が好ましく、０度より大きく１０度以下がより好ましい。
【００３３】
炉体支持部２７は、炉体２６を回転可能に両端近傍でそれぞれ支持する複数の回転体２７ａを設置する設置台２７ｂと、駆動モータ２７ｆと、駆動モータ２７ｇの駆動軸に取り付けられた駆動側スプロケット２７ｅと一部の回転体２７ａに取り付けられた従動側スプロケット２７ｃに張架されたチェーン２７ｄとを備えている。これにより、炉体支持部２７は、回転体２７ａを回転させてその上の炉体２６を水平な仮想回転軸３９（炉体２６の中心軸，図３（Ｃ）参照）にて回転させる回転駆動部として機能する。また、炉体支持部２７は、駆動モータ２７ｆの回転数を制御することで、炉体２６の軸心回りの回転速度を変えることができる。尚、炉体２６の軸心回りの回転方向は、炉体２６を排出側から投入側に視て時計回りになっている。すなわち、炉体２６の軸心回りの回転方向は、上述の周壁内ライニング２６ａをねじって形成したねじる方向と逆になっている。
【００３４】
投入側フード２８には、電力加熱装置８で加熱されたフライアッシュ原粉を炉体２６内に投入するための投入部３０と、炉体２６内で発生した燃焼ガスを排気ガスとして排出するための排気ガス口９ａとが設けられている。
【００３５】
投入部３０は、投入側フード２８を前後に貫通する管で、軸心が炉体２６の中心軸である仮想回転軸３９とほぼ一致し、一端が電力加熱装置８の加熱処理管２１の後端のフランジ２１ｅに連結され、他端が炉体２６内で開口し投入口３０ａ（原粉供給部）を形成している。
【００３６】
排気ガス口９ａには、余熱供給パイプ１３、及び余熱供給パイプ１３から分岐された排気ガス管３１が連結されている。そして、余熱供給パイプ１３は、予熱装置１０を経由し、また、排気ガス管３１は、熱交換器３２を経由して、それぞれ除塵装置６に連結されている（図１参照）。これにより、排気ガス口９ａから排出された高温の排気ガスは、除塵装置６に送られる。
【００３７】
排出側フード２９には、炉体２６内に空気（一次エア、二次エア）と共に燃料を噴出させ燃焼させる助燃バーナー３３（加熱部）と、炉体２６内に空気（三次エア）を吹き込む複数の吹き込みノズル３４（酸素供給部）と、排出口３５（処理粉排出部）が設けられている。
【００３８】
助燃バーナー３３は、炉体２６内を高温に加熱する。助燃バーナー３３は、炉体２６の中心軸である仮想回転軸３９上に位置し、燃料を噴出させる噴出孔３３ａがフライアッシュ原粉の投入口３０ａに対向するように配置されている。すなわち、炉体２６の中心軸上の一端側に投入口３０ａが設けられ、炉体２６の中心軸上の他端側に助燃バーナー３３が設けられている。
【００３９】
複数の吹き込みノズル３４は、助燃バーナー３３を周りから囲むようにして配置されている。吹き込みノズル３４は、炉体支持部２７により炉体２６が回転されると、この炉体２６とともに、助燃バーナー３３（すなわち仮想回転軸３９）を中心として回転する。
【００４０】
助燃バーナー３３に供給される空気（一次エア、二次エア）と吹き込みノズル３４から炉体２６内に吹き込まれる空気（三次エア）は、外の空気が押込ファン３６により取り込まれ熱交換器３２を介して炉体２６内に送り込まれた空気である。そのため、空気（一次エア、二次エア）と空気（三次エア）は、熱交換器３２において、排気ガス管３１を流動する高温の排気ガスとの熱交換により加熱される。
【００４１】
排出口３５は、未燃カーボンが燃焼により減少したフライアッシュ原粉を排出するための排出口であり、排出側フード２９の下部に設けられ、冷却設備５に連結されている（図１参照）。
【００４２】
＜フライアッシュ原粉の撹拌、未燃カーボンの燃焼動作＞
図３（Ｂ）は、焼成装置９の排出側から視た炉体２６、及び炉体２６内のフライアッシュ原粉の動きを示す説明図である。  
図３（Ｃ）は、焼成装置９の炉体２６内のフライアッシュ原粉の動きを炉体側方（図１における正面と反対側）から視た縦断面で示す説明図である。
【００４３】
フライアッシュ原粉は、投入部３０の投入口３０ａから焼成装置９の炉体２６内に投入される。フライアッシュ原粉は、重力により、投入部３０の投入口３０ａ直下の周壁内ライニング側壁２６ｅに自由落下する。こうして炉体２６内に投入されたフライアッシュ原粉は、８００〜９００℃に加熱されている炉体２６内で加熱され、吹き込みノズル３４から供給される十分な酸素（空気中に含まれる）を受けて、フライアッシュ原粉中の未燃カーボンが発火温度である６００℃で発火して自燃し、加熱改質が進行する。
【００４４】
炉体２６は、排出側から投入側に視た軸心の回りに時計回りの方向に回転している。このため、周壁内ライニング側壁２６ｅに落下したフライアッシュ原粉は、当該周壁内ライニング側壁２６ｅに載った状態で、当該周壁内ライニング側壁２６ｅと共に、炉体２６の軸心を中心軸として時計回りに円周方向に回転移動する。（ＦＡ１参照）。
【００４５】
当該周壁内ライニング側壁２６ｅは、当該回転移動により傾斜角度が徐々に大きくなり、略水平状態から略垂直状態に近づいていく。フライアッシュ原粉は、当該周壁内ライニング側壁２６ｅとの間の摩擦力により、所定の傾斜角度に至るまで当該周壁内ライニング側壁２６ｅに載った状態を維持し、時計回りの円周方向の回転移動をし続ける。フライアッシュ原粉は、傾斜角度が所定の値に達すると、当該周壁内ライニング側壁２６ｅとの間の摩擦力を凌駕する重力により、当該周壁内ライニング側壁２６ｅ上を反時計回りの方向に滑り落ちる。上述のように、当該周壁内ライニング側壁２６ｅは、ねじれた四角形となっている。このため、フライアッシュ原粉は、当該周壁内ライニング側壁２６ｅ上を、円周方向よりも投入側から排出側に少し傾いた方向に向けて滑り落ちる（ＦＡ２参照）。そして、当該周壁内ライニング側壁２６ｅから滑り落ちたフライアッシュ原粉は、反時計回り方向の一つ隣の周壁内ライニング側壁２６ｅに乗り移る。
【００４６】
フライアッシュ原粉は、当該滑り落ちる際に、当該周壁内ライニング側壁２６ｅ上に載った後続のフライアッシュ原粉を、斜めから逆Ｖ字状に次々と折り畳み込むようにして巻き込んでいく。そのため、フライアッシュ原粉は、効率よく撹拌され、しかも、微粉の飛散が抑制される。
【００４７】
フライアッシュ原粉は、上述のような回転移動（ＦＡ１参照）と滑落（ＦＡ２参照）を炉体２６内で繰り返すことにより、投入側から排出側に向かって徐々に送り出される（Ａｄｖ．参照）。そして、この送り出される間に、フライアッシュ原粉は、繰り返し撹拌される。これにより、フライアッシュ原粉に含まれる未燃カーボンは、高温の酸素雰囲気中に頻繁に露出することとなり、効率よく燃焼される。この時の炉体２６内の温度は、８００〜９００℃になっている。そして、排出口３５に到達したフライアッシュ原粉は冷却設備５に排出される（図１、２参照）。
【００４８】
尚、フライアッシュ原粉に含まれる未燃カーボン量は変動するため、燃焼時間は適宜増減させる必要が生じる。この場合、当該燃焼時間の増減は、周壁内ライニング２６ａの形状に基づいて、炉体支持部２７の駆動モータ２７ｆの回転数の調整することにより行われる。すなわち、周壁内ライニング２６ａの形状に合わせて、駆動モータ２７ｆの回転数の調整することにより、炉体２６の軸心回りの回転速度を変え、炉体２６内を移動するフライアッシュ原粉の移動速度を調整する。これにより、フライアッシュ原粉の移動速度を小さくすれば、炉体２６内での滞留時間が長くなり、燃焼時間が増加し、逆に移動速度を大きくすれば、炉体２６内での滞留時間が短くなり、燃焼時間が減少する。
【００４９】
以上の構成と動作により、フライアッシュ中の微粉の飛散を抑制しつつ未燃カーボンを効率よく燃焼させる焼成装置９を提供することができる。特に、円筒形の炉であれば、いくら回転させても、熱によって滑りやすくなっているフライアッシュ原粉は炉体２６の表面を滑るように移動する。このため、フライアッシュ原粉はあまり撹拌しないこととなる。これに対して、上述した焼成装置９は、回転する多角形の炉（炉体２６）により、フライアッシュ原粉が炉体２６のねじれ平面部分である周壁内ライニング２６ａ上に載置されたそのままの状態で持ち上がり、落下する際に十分に撹拌する。すなわち、円筒形のように滑る心配がないために、十分な撹拌を実施することができる。
【００５０】
炉（炉体２６）における周壁内ライニング２６ａを構成する四角形の各周壁内ライニング側壁２６ｅは、平板状の四角形でもなく、部分円筒状の四角形でもない、ねじれた四角形となっている。これにより、炉（炉体２６）を回転させると、各周壁内ライニング側壁２６ｅ上のフライアッシュ原粉は、重なり合って載置された状態でそのまま持ち上がっていき、ある程度持ち上がった段階で表面部分から順に底部分（周壁内ライニング側壁２６ｅに接触している部分）までが落下する。すなわち、円筒形の炉と異なり、隣り合う周壁内ライニング側壁２６ｅの間には屈曲部があるために、先に持ち上がっている周壁内ライニング側壁２６ｅ上のフライアッシュ原粉は、次の周壁内ライニング側壁２６ｅの存在によって滑り止めされる状態となり、そのまま持ち上がる。そして、ある程度持ち上げられて落下する際に、フライアッシュ原粉は、後続のフライアッシュ原粉を斜め方向から逆Ｖ字状に折り畳み込むようにして次々と巻き込んでいく。このため、円筒形の炉のようにフライアッシュ原粉が炉内で滑る（滑る結果、リブ等に当たらない限りフライアッシュ原粉が持ち上がらない）といったことがなく、効率よく撹拌でき、しかも、微粉の飛散を抑制することができる。
【００５１】
このようにして、フライアッシュ原粉に含まれる未燃カーボンは、高温の酸素雰囲気中に頻繁に露出することになり、効率よく燃焼される。そして、フライアッシュ原粉に含まれる未燃カーボンを除去して１％未満にすることができる。
【００５２】
焼成装置９の炉体２６は、断面が正多角形となっているため、フライアッシュ原粉の撹拌を定常的に連続して行うことができる。特に、炉体２６の断面が正八角形となっていることにより、例えば断面が正方形のように辺の数が少ない場合よりも微粉の飛散を抑制でき、かつ、炉体２６の断面が正２０角形のように辺の数が多い場合よりも十分な撹拌効果が得られる。このように、炉体２６の断面を正八角形とすることにより、撹拌の効率化と微粉の飛散の抑制とを両立することができる。
【００５３】
回転駆動部（炉体支持部２７）は、炉（炉体２６）を、ねじれ平面（周壁内ライニング側壁２６ｅ）における最下部となっている位置が一端側（投入口３０ａ側）から徐々に他端側（排出口３５）へ向かって移動する方向に回転させる。これにより、フライアッシュ原粉を落下させ撹拌する毎に少しずつ他端側（排出口３５）へ移動させることができる。
【００５４】
また、炉体２６は、円筒形でなく、単純な多角形でもなく、ねじれ多角筒状若しくはねじれ多角推台筒状であるため、フライアッシュ原粉の撹拌と送り出しを両方実施することができる。このため、従来のように円筒形の内面に撹拌板を設ける必要がなく、製造原価を抑制できるとともに、取り付けられた撹拌板が熱によって破損あるいは剥がれるといった不具合も防止することができる。
【００５５】
尚、本願発明は本実施形態に限られず他の様々な実施形態とすることができる。  
例えば、焼成装置９は、炉体２６が中心線方向に３段（前段、中段、後段）に分割するなど、複数に分割して構成してもよい。この場合、各段において、両端が多角形の同一形状の略筒状または略円錐台筒状を中心線を回転軸としてねじって形成する際のねじる角度をそれぞれ異なる角度にしてもよい。例えば、前段、中段、後段のねじる角度を、それぞれ、３０度、４５度、６０度としてもよく、また、逆に６０度、４５度、３０度としてもよい。これにより、各段における周壁内ライニング２６ａを構成する四角形の各周壁内ライニング側壁２６ｅは、ねじれ角が異なるねじれた四角形となる。このため、フライアッシュ原粉が炉体２６内を投入側から排出側に向かって徐々に送り出される（Ａｄｖ．参照）過程において、各周壁内ライニング側壁２６ｅ上のフライアッシュ原粉の滑落による撹拌は、少なくとも各段ごとに異なったものにできる。これにより、炉体２６内で送り出される（前進移動する）フライアッシュ原粉に含まれる未燃カーボンの燃焼状況に合わせて、フライアッシュ原粉の撹拌方法を変えることが可能となり、未燃カーボンの燃焼を効率よく行える。
【産業上の利用可能性】
【００５６】
本願発明は、フライアッシュを焼成（加熱改質）することを必要とする産業に利用することができる。
【符号の説明】
【００５７】
１…加熱改質システム
２…加熱装置
３…フライアッシュ貯留設備
４…定量供給装置
５…冷却設備
６…除塵装置
７…排気装置
８…電力加熱装置
９…焼成装置焼成装置
１０…予熱装置
２６…炉体
２６ａ…周壁内ライニング
２６ｂ…投入側フード内ライニング
２６ｄ…外周壁
２６ｅ…周壁内ライニング側壁
２７…炉体支持部
３０…投入部
３０ａ…投入口
３３…助燃バーナー
３４…吹き込みノズル
３５…排出口
【図１】
2018204893.tif 000003
【図２】
2018204893.tif 000004
【図３】
2018204893.tif 000005